(57)【要約】【課題】使用時に特殊な機器が不要で、アート紙等に印刷された文字や大きな文字に対しても十分な隠蔽性能を発揮でき、手等に付着しても取れ易く、しかも簡便な方法で容易に情報を隠蔽できる情報隠蔽用黒色接着剤、及び該接着剤を用いた簡便且つ確実なセキュリティ保持方法を提供すること。【解決手段】粘着剤及び黒色顔料を含有することを特徴とする情報隠蔽用黒色接着剤、並びに上記接着剤を、紙面上の秘密保持したい部分に塗布し、次いでこの塗布部分を覆う様に当該紙を折り曲げるか、又は他の紙を重ねて、接着させることを特徴とするセキュリティ保持方法。【選択図】なし【特許請求の範囲】
【請求項１】
粘着剤及び黒色顔料を含有することを特徴とする情報隠蔽用黒色接着剤。
【請求項２】
粘着剤が、水性粘着剤である請求項１に記載の情報隠蔽用黒色接着剤。
【請求項３】
水性粘着剤が、酢酸ビニル樹脂、アクリル樹脂、ポリビニルアルコール、アラビアガム及びデンプンからなる群より選ばれた少なくとも１種である請求項２に記載の情報隠蔽用黒色接着剤。
【請求項４】
更に、水を含有する請求項１に記載の情報隠蔽用黒色接着剤。
【請求項５】
黒色顔料が、カーボンブラックである請求項１に記載の情報隠蔽用黒色接着剤。
【請求項６】
カーボンブラックの含有量が、接着剤１００重量％中、０．３〜１０重量％である請求項５に記載の情報隠蔽用黒色接着剤。
【請求項７】
請求項１に記載の情報隠蔽用黒色接着剤を、紙面上の秘密保持したい部分に塗布し、次いでこの塗布部分を覆う様に当該紙を折り曲げるか、又は他の紙を重ねて、接着させることを特徴とするセキュリティ保持方法。
【発明の詳細な説明】
【技術分野】
【０００１】
本発明は、情報隠蔽用黒色接着剤及びセキュリティ保持方法に関する。
【背景技術】
【０００２】
従来、郵便物の宛名等の個人情報や印刷物等の書面中の秘密情報等の他人に見られたくない情報の隠蔽乃至抹消手段としては、シュレッダー等で細断後廃棄する方法が代表的である。しかし、この方法には、シュレッダー等の高価で特殊な機器が必要であるという欠点がある。
【０００３】
また、最近、英文字等をランダムに羅列した印面パターンを書面中の隠蔽したい部分に捺印して情報を隠蔽する、個人情報保護スタンプが、市販されている。しかし、このスタンプには、油性黒インクを用いていること等のため、印刷方法や紙質によっては十分な隠蔽性能が発揮されず、例えば、アート紙、コート紙等には捺印できず、又カラー印刷文字や２０ポイント以上の大きな文字等に対する隠蔽性が劣るという欠点がある。コピー用紙等の文字上に捺印した際にも、よく見ると隠蔽した文字が読み取れる場合もある。更に、非常に取れ難い油性インクを使用しているため、該インクが手等に付着した場合に、汚れが取れ難いという欠点もある。
【発明の概要】
【発明が解決しようとする課題】
【０００４】
本発明の目的は、使用時に特殊な機器が不要で、アート紙等に印刷された文字や大きな文字に対しても十分な隠蔽性能を発揮でき、手等に付着しても取れ易く、しかも簡便な方法で容易に情報を隠蔽できる、情報隠蔽用黒色接着剤を提供することにある。
【０００５】
本発明の他の目的は、上記接着剤を用いた、簡便且つ確実なセキュリティ保持方法を提供することにある。
【課題を解決するための手段】
【０００６】
本発明者は、上記目的を達成すべく鋭意研究した結果、粘着剤及び黒色顔料を含有する黒色接着剤によれば、上記目的を達し得ることを見出し、これに基づいて、本発明を完成するに至った。
【０００７】
本発明は、以下の情報隠蔽用黒色接着剤及び該接着剤を用いたセキュリティ保持方法を提供するものである。
【０００８】
１．粘着剤及び黒色顔料を含有することを特徴とする情報隠蔽用黒色接着剤。
【０００９】
２．粘着剤が、水性粘着剤である上記項１に記載の情報隠蔽用黒色接着剤。
【００１０】
３．水性粘着剤が、酢酸ビニル樹脂、アクリル樹脂、ポリビニルアルコール、アラビアガム及びデンプンからなる群より選ばれた少なくとも１種である上記項２に記載の情報隠蔽用黒色接着剤。
【００１１】
４．更に、水を含有する上記項１に記載の情報隠蔽用黒色接着剤。
【００１２】
５．黒色顔料が、カーボンブラックである上記項１に記載の情報隠蔽用黒色接着剤。
【００１３】
６．カーボンブラックの含有量が、接着剤１００重量％中、０．３〜１０重量％である上記項５に記載の情報隠蔽用黒色接着剤。
【００１４】
７．上記項１に記載の情報隠蔽用黒色接着剤を、紙面上の秘密保持したい部分に塗布し、次いでこの塗布部分を覆う様に当該紙を折り曲げるか、又は他の紙を重ねて、接着させることを特徴とするセキュリティ保持方法。
【発明の効果】
【００１５】
本発明によれば、以下のような格別顕著な効果を得ることができる。
【００１６】
（１）シュレッダー等の特殊な機器を何ら用いることなく、郵便物の宛名等の個人情報や印刷物等の書面中の秘密情報等の他人に見られたくない活字等の情報を、紙面上の秘密保持したい部分に本発明情報隠蔽用黒色接着剤を塗布し、次いでこの塗布部分を覆う様に当該紙を折り曲げるか、又は他の紙を重ねて、接着させるのみという簡便な方法で容易に隠蔽することができる。従って、セキュリティを簡便且つ確実に保持できる。
【００１７】
（２）コピー用紙、レポート用紙等の通常の紙は勿論のこと、アート紙、コート紙、和紙等の特殊な紙に記載された活字等の情報を隠蔽する場合にも容易に使用できる。また、黒色文字や小さな文字は勿論のこと、カラー印刷文字、２０ポイント以上の大きな文字、コピー印字のようにツヤのある文字等に対する隠蔽性にも優れる。加えて、段ボール等の大きな面であっても、他の紙を貼ることにより容易に適用できる。
【００１８】
（３）更に、本発明接着剤が水性粘着剤を用いた接着剤である場合には、紙への浸透性が高いのでより隠蔽性に優れており、又該接着剤が手に付着した場合等に、乾くことにより、手を擦り合わせたりすれば、容易に取ることができるので、汚れ難い。また、水性粘着剤を用いた場合は、安全性が高い。
【発明を実施するための形態】
【００１９】
情報隠蔽用黒色接着剤
本発明の情報隠蔽用黒色接着剤は、粘着剤及び黒色顔料を含有することを特徴とする。
【００２０】
粘着剤
粘着剤としては、通常の接着剤において用いられるものを、いずれも使用できるが、水性粘着剤を用いることが、手や衣服が汚れ難く、汚れた場合にも容易に汚れを除去できる点や安全性が高い点から、好ましい。
【００２１】
水性粘着剤としては、樹脂エマルジョン系粘着剤、水のり系粘着剤等を用いることができる。樹脂エマルジョン系粘着剤は、乾きが早く粘着性が強い上に、アート紙、コート紙等を含む広い範囲の紙に容易に適用できる点から、好ましい。また、水のり系粘着剤は、乾きが比較的遅いものの、低コストである点から好ましい。
【００２２】
樹脂エマルジョン系粘着剤としては、例えば、酢酸ビニル樹脂、アクリル樹脂、エチレン−酢酸ビニル樹脂、スチレン−ブタジエンゴムラテックス等を挙げることができる。また、水のり系粘着剤としては、例えば、ポリビニルアルコール、アラビアガム、デンプン等を挙げることができる。これらの水性粘着剤の内、酢酸ビニル樹脂、アクリル樹脂、ポリビニルアルコール、アラビアガム、デンプン等を用いるのが、好ましい。
【００２３】
粘着剤は、通常、水、有機溶剤等の媒体と共に、接着剤に配合される。水性粘着剤を用いる場合は、通常、水である媒体と共に用いられ、水性接着剤とされる。
【００２４】
水性粘着剤を用いる場合の配合量は、特に限定されない。樹脂エマルジョン系粘着剤の場合は、接着剤１００重量％中、通常、固形分で３０〜７０重量％程度とするのが好ましい。また、水のり系粘着剤の場合は、接着剤１００重量％中、通常、固形分で１０〜３０重量％程度とするのが好ましい。
【００２５】
黒色顔料
黒色顔料としては、インク等に用いられる通常の黒色顔料を、いずれも使用できるが、特に、カーボンブラックを用いることが、隠蔽性に優れた黒色接着剤が得られる点から、好ましい。
【００２６】
黒色顔料として、カーボンブラックを使用する場合、その含有量は、接着剤１００重量％中、０．３〜１０重量％程度であるのが好ましい。０．３重量％未満では隠蔽性が不足する場合があり、又１０重量％程度までの使用で十分な隠蔽性が得られるので、これを超えて使用するのは、手の汚れが取れ難くなる場合もあるので、好ましくない。
【００２７】
情報隠蔽用黒色接着剤の調製方法
本発明の情報隠蔽用黒色接着剤は、例えば、必須成分の粘着剤と黒色顔料とを、必要に応じて、分散剤、界面活性剤、防腐剤、防黴剤、粘度調整剤、香料等の任意成分と共に、水、有機溶剤等の媒体中で、混合、撹拌することによって、調製することができる。
【００２８】
セキュリティ保持方法
本発明のセキュリティ保持方法は、上記本発明の情報隠蔽用黒色接着剤を、紙面上の秘密保持したい部分に塗布し、次いでこの塗布部分を覆う様に当該紙を折り曲げるか、又は他の紙を重ねて、接着させることにより、行うことができる。接着後は、適宜乾燥させるのが好ましい。
【００２９】
上記本発明の情報隠蔽用黒色接着剤の塗布方法としては、特に限定されない。例えば、刷毛、ヘラ、ローラー等によって、塗布してもよく、又該接着剤を入れた塗布し易いノズルの付いたチューブ等から直接塗り付けてもよい。塗布量は、隠蔽すべき部分の範囲、状態に応じて、適宜決定すればよい。
【００３０】
得られた接着物は、例えば、光線へ透かしても、紙面上の情報を読み取ることはできず、又この接着物は、乾燥後に接着箇所を開いてもその箇所が破れてしまい、やはり紙面上の情報を読み取ることはできない。従って、接着後に、この接着物をそのまま廃棄しても、セキュリティは十分に保持できる。
【００３１】
本発明のセキュリティ保持方法を適用できる情報を記載した対象としては、コピー用紙、レポート用紙等の通常の紙は勿論のこと、アート紙、コート紙、和紙等の特殊な紙等や、封筒、包装紙、段ボール等の包装用品等を挙げることができる。
【００３２】
また、隠蔽すべき情報としては、例えば、郵便物の宛名等の個人情報や印刷物等の書面中の秘密情報等の他人に見られたくないあらゆる情報を挙げることができる。また、情報を示した文字としては、黒色文字や小さな文字は勿論のこと、カラー印刷文字、２０ポイント以上の大きな文字、コピー印字のようにツヤのある文字等のいずれの文字であってもよく、又図形、絵、ロゴ、バーコード等であってもよい。
【実施例】
【００３３】
以下、実施例を挙げて、本発明を更に具体的に説明する。但し、本発明は、以下の実施例に依って、限定されない。
【００３４】
実施例１
粘着剤として、酢酸ビニル樹脂エマルジョン（商品名「Ｈタック１５００Ｌ」、（株）平野化学研究所製）をエマルジョンとして９５重量％、及び黒色顔料として、カーボンブラック（商品名「ラクチミンカラーブラックＦＬＴＲ」、大日精化（株）製）を５重量％、混合容器に入れ、混合、撹拌することによって、固形分含量５０重量％の本発明情報隠蔽用黒色接着剤を得た。
【００３５】
封筒上の宛名部分に、この情報隠蔽用接着剤を入れたノズル付きチューブから、該接着剤を直接塗り付け、封筒を折り曲げて接着した。得られた接着物を、光線へ透かしても、宛名を読み取ることはできなかった。また、この接着物の乾燥後、折り曲げた箇所を開くと、その箇所が破れてしまい、やはり宛名は見えなかった。
【００３６】
実施例２
粘着剤として、アクリル樹脂エマルジョンをエマルジョンとして９６重量％、及び黒色顔料として、カーボンブラックを４重量％、混合容器に入れ、混合、撹拌することによって、固形分含量３５重量％の本発明情報隠蔽用黒色接着剤を得た。
【００３７】
封筒上の宛名部分に、この情報隠蔽用接着剤を入れたノズル付きチューブから、該接着剤を直接塗り付け、封筒を折り曲げて接着した。得られた接着物を、光線へ透かしても、宛名を読み取ることはできなかった。また、この接着物の乾燥後、折り曲げた箇所を開くと、その箇所が破れてしまい、やはり宛名は見えなかった。
【００３８】
実施例３
粘着剤として、ポリビニルアルコール（商品名「ポリエースＡ−１７１５Ｇ」、大成化薬（株）製）を溶液として９７重量％、及び黒色顔料として、カーボンブラック（商品名「カーボンブラック＃３０」、三菱化学（株）製）を３重量％、混合容器に入れ、混合、撹拌することによって、固形分含量１８重量％の本発明情報隠蔽用黒色接着剤を得た。
【００３９】
コピー用紙上の個人名印字部分に、この情報隠蔽用接着剤を入れたノズル付きチューブから、該接着剤を直接塗り付け、コピー用紙を折り曲げて接着した。得られた接着物を、光線へ透かしても、個人名を読み取ることはできなかった。また、この接着物の乾燥後、折り曲げた箇所を開くと、その箇所が破れてしまい、やはり個人名は見えなかった。
【００４０】
実施例４
粘着剤としてアラビアガムを、及び黒色顔料としてカーボンブラックを、混合容器に入れ、水を加えて、混合、撹拌することによって、本発明情報隠蔽用黒色接着剤を得た。
【００４１】
封筒上の宛名部分に、この情報隠蔽用接着剤を入れたノズル付きチューブから、該接着剤を直接塗り付け、封筒を折り曲げて接着した。得られた接着物を、光線へ透かしても、宛名を読み取ることはできなかった。また、この接着物の乾燥後、折り曲げた箇所を開くと、その箇所が破れてしまい、やはり宛名は見えなかった。
【００４２】
実施例５
粘着剤としてデンプンを、及び黒色顔料としてカーボンブラックを、混合容器に入れ、水を加えて、混合、撹拌することによって、本発明情報隠蔽用黒色接着剤を得た。
【００４３】
コピー用紙上の個人名印字部分に、この情報隠蔽用接着剤を入れたノズル付きチューブから、該接着剤を直接塗り付け、コピー用紙を折り曲げて接着した。得られた接着物を、光線へ透かしても、個人名を読み取ることはできなかった。また、この接着物の乾燥後、折り曲げた箇所を開くと、その箇所が破れてしまい、やはり個人名は見えなかった。